(57)【要約】【課題】  電動弁のキャンに発生する共鳴の防止を図る。【解決手段】  電動弁１は、弁座１２と弁室１４を有する弁本体１０を備え、弁室１４内に弁体３０が配設される。弁体３０を操作する弁棒４０は、ベローズ５０でシールされる。ねじ棒７０は、案内部材６０に螺合し、回転運動を直線運動に変換する。電動モータと歯車減速装置は、金属製の円筒形状のキャン２００内に装備され、プレート９０とシール部材８０によりキャン内に封止される。プレート９０には、有底３１０の開口部３００が設けられる。焼付ゴムの薄肉部３２０は、キャン２００内が高圧になると、破断して高圧を開放する。【選択図】        図１
2006177503.tif 000002
【特許請求の範囲】
【請求項１】
弁室と弁座を有する弁本体と、弁本体内に装備される弁体と、弁体を操作する弁棒と、弁室と弁棒内部との間をシールするベローズと、回転運動を直線運動に変換するねじ部材と、電動モータと、電動モータの出力を減速してねじ部材に伝達する歯車減速装置を収容する金属製のキャンと、キャンの開口部を封止するシール構造部材を備えた電動弁であって、
キャンの開口部を封止するシール構造部材の一部にキャン内の高圧を開放する高圧開放部を備える電動弁。
【請求項２】
高圧開放部は、金属製のプレートに焼付ゴムを積層したシール構造部材のプレートに設けた開口部と薄肉の焼付ゴムで構成される請求項１記載の電動弁。
【請求項３】
高圧開放部は、シール構造部材に形成した開口部と、開口部を塞ぐ焼付ゴムで構成される請求項１記載の電動弁。
【発明の詳細な説明】
【技術分野】
【０００１】
本発明は、電動弁、特にモータと歯車減速装置を円筒状のキャン内に装備する電動弁の改良に関する。
【背景技術】
【０００２】
弁室と弁座を有する弁本体内に弁体を配置し、弁体を操作する弁棒をベローズ内に配設して冷媒と弁棒の間をシールする構造の電動弁は、本出願人に係る下記の特許文献に開示されている。
この種の電動弁にあっては、電動モータと歯車減速装置をキャンと称する金属製の円筒状の部材の内に封止して、焼付ゴム等を用いたシール構造を備えて外部からの湿気の浸入等を防止している。歯車減速装置の回転出力は、ねじ機構により直線運動に変換され、弁棒に伝達される。
【特許文献１】特開平１１−８２７９６号公報
【発明の開示】
【発明が解決しようとする課題】
【０００３】
この種の電動弁にあっては、弁室に流入する高圧の冷媒をシールするベローズ周辺で何らかの原因で支障が発生すると、高圧の冷媒がキャン内に流入し、シール構造を破損する。
この際に、焼付ゴム等が破損して破裂音等を発生させる原因となる。
本発明の目的は、上述した不具合を解消する電動弁を提供することである。
【課題を解決するための手段】
【０００４】
本発明の電動弁は、弁室と弁座を有する弁本体と、弁本体内に装備される弁体と、弁体を操作する弁棒と、弁室と弁棒内部との間をシールするベローズと、回転運動を直線運動に変換するねじ部材と、電動モータと、電動モータの出力を減速してねじ部材に伝達する歯車減速装置を収容する金属製のキャンと、キャンの開口部を封止するシール構造部材を備え、キャンの開口部を封止するシール構造部材の一部にキャン内の高圧を開放する高圧開放部を備えるものである。
そして、高圧開放部は、金属製のプレートに焼付ゴムを積層したシール構造部材のプレートに設けた開口部と薄肉の焼付ゴムで構成されるか、または、シール構造部材に形成した開口部と、開口部を塞ぐ焼付ゴムで構成されるものである。
【発明の効果】
【０００５】
本発明の電動弁は、上述した構成を備えることにより、キャン内に高圧冷媒が浸入したときに、高圧を確実に開放することができる。
【発明を実施するための最良の形態】
【０００６】
図１は、本発明の電動弁の構造を示す説明図、図２、図３は要部の説明図である。
全体を符号１で示す電動弁は、弁座１２と弁室１４を有する弁本体１０を有し、弁室１４に通ずる２本の配管２０，２２が接続される弁室１４に挿入される弁体３０は、弁座１２に対向して流路面積を変化させる。
【０００７】
弁本体１０の弁室１４に連通する内径部１６には、ベローズ５０と、ベローズ５０の内側に挿入される弁棒４０が配設される。ベローズ５０の下端部は、弁棒４０に固定され、ベローズ５０の上端部はリング部材５２を介して弁本体１０に固定される。
弁本体１０の上部には、内ねじ部６２を有する案内部材６０が配設され、袋ナット６４で弁本体１０に固着される。
【０００８】
案内部材６０の内ねじ部６２に螺合する外ねじ部７２を有するねじ棒７０の下端部はボール４４を介して弁棒４０の上部の伝達部材４２を押圧し、弁棒４０を軸方向に移動させる。
案内部材６０の上部は、焼付ゴムによるシール部材８０、金属製のプレート９０が配設され、例えばカシメ手段により固着される。
【０００９】
プレート９０上にはベース１００が載置され、外周を覆うキャン２００のフランジ部２１０の下端部をカシメ加工することにより、キャン２００内に固定される。
ベース１００の上部には、ステータとその励磁コイルからなる励磁装置１１０が載置され、リード線１５０を介して給電される。リード線は、焼付ゴムによるシール部材８０と一体のリード線支持部８２に挿入され、接着剤１５２で封止される。励磁装置１１０の内側に配設されるロータ１２０は、励磁装置１１０に与えられるパルス電流により駆動される。ロータ１２０一体のピニオン１２４は、ギヤ１３０の大歯車３０ａを駆動し、大歯車１３０ａと一体の小歯車１３０ｂは、ギヤ１３１の大歯車１３１ａを駆動し、大歯車１３１ａと一体の小歯車１３１ｂはねじ棒７０と一体のギヤ１４０を駆動する。
【００１０】
以上の構成により、電動モータの出力は減速されてねじ棒７０に伝達される。ねじ棒７０は与えられた回転に応じて、ねじ機構により直線移動に変換され、弁棒４０を介して弁体３０を変位させる。
弁体３０とオリフィス１２の間に形成される流路面積に応じて弁室１４を通過する流体の流量が制御される。
【００１１】
キャン２００の内部には、モータが配設され、ロータ１２０はパルス運転を行なう。そして、本発明の電動弁にあっては、金属製のプレート９０と焼付ゴムによるシール部材８０で構成されるシール構造の一部に工具４００により、有底の開口部３００を設けたものである。
【００１２】
開口部３００の底部３１０と、シール部材８０の面８０ａとの間の薄肉部３２０は、高圧開放部として機能する。すなわち、薄肉部３２０の厚さ寸法Ｔ１は、キャン２００内の内圧が所定の値以上に上昇したときに、この薄肉部３２０が破壊されて、キャン２００の内圧を開放する値に設定される。
【００１３】
この高圧開放部３２０は、焼付ゴムのシール部を薄肉部に形成することにかえて、例えば、貫通穴を設けておき、この貫通穴を焼付ゴムで塞いで高圧開放部を形成することもできる。
高圧開放部は、キャン内の圧力が所定の値以上になったときに、この内圧を確実に開放するものであればよく、種々の構造が採用できる。
【図面の簡単な説明】
【００１４】
【図１】本発明の電動弁の説明図。
【図２】本発明の電動弁の要部の説明図。
【図３】本発明の電動弁の要部の説明図。
【符号の説明】
【００１５】
１  電動弁
１０  弁本体
１２  弁座
１４  弁室
３０  弁体
４０  弁棒
５０  ベローズ
６０  ねじ棒案内部材
７０  ねじ棒
８０  シール材
９０  プレート
１００  ベース
１１０  励磁装置
１２０  ロータ
２００  キャン
３００  開口部
３２０  薄肉部
【図１】
2006177503.tif 000003
【図２】
2006177503.tif 000004
【図３】
2006177503.tif 000005